(57)【特許請求の範囲】
【請求項１】
ほぞピン受け入れ凹溝（１１）が仕口加工された柱（Ｙ）と、その柱（Ｙ）のほぞピン受け入れ凹溝（１１）と合致連通し得る引き寄せボルト受け入れ貫通孔（９）が開口形成された土台（Ｘ）と、その土台（Ｘ）と柱（Ｙ）とを軸組みするため、上記柱（Ｙ）のほぞピン受け入れ凹溝（１１）へ差し込み垂立されるほぞピン（Ｐ）とを備え、
上記土台（Ｘ）の基礎コンクリート（Ｃ）に埋設されたアンカー鉄筋（１）の上端部へ、袋ナット（２）を溶接一体化すると共に、
上記土台（Ｘ）を、別個な断面ほぼ倒立受皿型のスペーサープレート（Ｂ）が基礎コンクリート（Ｃ）から浮上する中間受け座（３）に受け持たせる一方、
そのスペーサープレート（Ｂ）の中間受け座（３）から外向きに張り出す一対の接地脚座（４）を、上記アンカー鉄筋（１）に付属の袋ナット（２）へ上方から螺入締結される取付けボルト（５）により基礎コンクリート（Ｃ）へ押え付け固定して、上記土台（Ｘ）とその基礎コンクリート（Ｃ）との上下相互間に一定の換気スペース（Ｓ）を確保し、
上記スペーサープレート（Ｂ）の中間受け座（３）に開口形成された引き寄せボルト受け入れ孔（７）から、これと合致連通する上記土台（Ｘ）の引き寄せボルト受け入れ貫通孔（９）へ差し込み垂立させた引き寄せボルト（１０）のネジ軸部（１０ｂ）と、上記ほぞピン（Ｐ）における柱（Ｙ）の木口面から張り出すねじ込み基端部（１５）とを、上記引き寄せボルト受け入れ貫通孔（９）内での袋ナット（１７）を介して螺合締結した上、
その引き寄せボルト（１０）の径大な角型頭部（１０ａ）を上記換気スペース（Ｓ）から挿入する回動操作工具により回動操作して、そのネジ軸部（１０ｂ）と上記袋ナット（１７）とを締め上げることにより、上記柱（Ｙ）を土台（Ｘ）への引き寄せ密着状態に固定一体化させることを特徴とする木造建築の軸組構造。
【請求項２】
スペーサープレート（Ｂ）における中間受け座（３）と土台（Ｘ）との接合面又は／及び同じく両接地脚座（４）と基礎コンクリート（Ｃ）との接合面へ、ゴムやバネなどの振動吸収材（６）を介挿設置したことを特徴とする請求項１記載の木造建築の軸組構造。
【請求項３】
ほぞピン（Ｐ）を金属パイプから柱（Ｙ）に開口するほぞピン受け入れ凹溝（１１）の深さ（Ｇ）よりも長い一定長さ（Ｌ）に作成して、その柱（Ｙ）の木口面から張り出すねじ込み基端部（１５）を、残余の上記ほぞピン受け入れ凹溝（１１）に埋没する胴体部（１３）よりも細く絞り加工すると共に、
土台（Ｘ）の引き寄せボルト受け入れ貫通孔（９）内において引き寄せボルト（１０）のネジ軸部（１０ｂ）と螺合締結されることになる袋ナット（１７）を、上記ほぞピン（Ｐ）のねじ込み基端部（１５）へ予じめ溶接一体化したことを特徴とする請求項１記載の木造建築の軸組構造。
【請求項４】
ほぞピン（Ｐ）を金属パイプから柱（Ｙ）に開口するほぞピン受け入れ凹溝（１１）の深さ（Ｇ）とほぼ対応する一定長さ（Ｌ）に作成すると共に、その柱（Ｙ）の木口面に臨む基端部を細く絞り加工して、
そのほぞピン（Ｐ）の細い基端部へ差し込み補強状態に溶接一体化したアダプターボルト（２２）のネジ軸部（２２ｂ）を、上記柱（Ｙ）の木口面から張り出し垂立させることにより、
土台（Ｘ）の引き寄せボルト受け入れ貫通孔（９）内において引き寄せボルト（１０）のネジ軸部（１０ｂ）と螺合締結されることになる別個な袋ナット（１７）を、上記アダプターボルト（２２）のネジ軸部（２２ｂ）と螺合締結させるように定めたことを特徴とする請求項１記載の木造建築の軸組構造。
【発明の詳細な説明】
【０００１】
【発明の属する技術分野】
本発明は木造建築の軸組構造に関する。
【０００２】
【従来の技術】
本発明に近似する公知技術として、実用新案登録第３００８１７８号や特開平９−２５０１７６号が提案されている。
【０００３】
【発明が解決しようとする課題】
前者の公知考案は柱（垂立材）（２００）と土台（受け材）（１００）との軸組構造に係るが、これでは土台（１００）のほぞ孔（１０１）へ埋め込んだほぞ部材（２０）の下端部を、ピン孔（２１ａ）（１０３）へ貫通横断させたピン（３０）によって、土台（１００）へ取り付け固定する一方、柱（２００）のほぞ穴（２０１）へ埋め込んだほぞ部材（２０）の上端部を、ピン孔（２１ｂ）（２１ｃ）（２０２）へ貫通横断させたピン（３０）によって、その柱（２００）へ取り付け固定しているにとどまるため、上記ほぞ部材（２０）とピン（３０）の使用によって、柱（２００）と土台（１００）とを抜け止め状態に保てると雖も、その柱（２００）を土台（１００）への引き寄せ密着状態に縛り上げ固定一体化させることまでは不可能であって、その軸組構造としての固定強度や安定性に劣る結果、木造３階建ての軸組構造には到底適用することができない。
【０００４】
又、上記柱（２００）の下面と土台（１００）の上面との相互間には、ベースプレート（１０）が介挿設置されており、そのベースプレート（２０）を基礎コンクリート（３００）のアンカーボルト（３０１）へ、ナットにより押え付け固定するようになっているが、その土台（１００）と基礎コンクリート（３００）とは全面的に密着しているため、土台（１００）が基礎コンクリート（３００）からの湿気を受けることになり、その床下換気効果を達成できない問題もある。
【０００５】
他方、後者の公知発明でも土台や梁などの柱受け用木材（１）に埋め込まれた継合具（３）の下端部と、柱木材（２）に埋め込まれた同じく継合具（３）の上端部とは、その何れも係止ピン（６）の貫通横断によって抜け止めされるに過ぎない構成のため、上記柱受け用木材（１）に対する柱木材（２）の引き寄せ密着力を発揮せず、その交叉する両木材（１）（２）をやはり縛り上げ施錠状態に固定一体化させることができない。
【０００６】
【課題を解決するための手段】
本発明はこのような課題の改良を企図しており、そのために役立つ木造建築の軸組構造として、ほぞピン受け入れ凹溝が仕口加工された柱と、その柱のほぞピン受け入れ凹溝と合致連通し得る引き寄せボルト受け入れ貫通孔が開口形成された土台と、その土台と柱とを軸組みするため、上記柱のほぞピン受け入れ凹溝へ差し込み垂立されるほぞピンとを備え、
【０００７】
上記土台の基礎コンクリートに埋設されたアンカー鉄筋の上端部へ、袋ナットを溶接一体化すると共に、
【０００８】
上記土台を、別個な断面ほぼ倒立受皿型のスペーサープレートが基礎コンクリートから浮上する中間受け座に受け持たせる一方、
【０００９】
そのスペーサープレートの中間受け座から外向きに張り出す一対の接地脚座を、上記アンカー鉄筋に付属の袋ナットへ上方から螺入締結される取付けボルトにより基礎コンクリートへ押え付け固定して、上記土台とその基礎コンクリートとの上下相互間に一定の換気スペースを確保し、
【００１０】
上記スペーサープレートの中間受け座に開口形成された引き寄せボルト受け入れ孔から、これと合致連通する上記土台の引き寄せボルト受け入れ貫通孔へ差し込み垂立させた引き寄せボルトのネジ軸部と、上記ほぞピンにおける柱の木口面から張り出すねじ込み基端部とを、上記引き寄せボルト受け入れ貫通孔内での袋ナットを介して螺合締結した上、
【００１１】
その引き寄せボルトの径大な角型頭部を上記換気スペースから挿入する回動操作工具により回動操作して、そのネジ軸部と上記袋ナットとを締め上げることにより、上記柱を土台への引き寄せ密着状態に固定一体化させることを特徴とするとするものである。
【００１２】
【発明の実施の形態】
以下、図面に基いて本発明の具体的構成を詳述すると、先ず図１〜６は本発明の第１実施形態に係り、これでは木造建築の柱（Ｙ）を土台（Ｘ）の中途部へ側面視の交叉する倒立Ｔ字型に軸組みしている。
【００１３】
その図１〜６において、（１）は基礎コンクリート（Ｃ）の打設と一挙同時に埋設された複数のアンカー鉄筋であり、好ましくはほぼＬ字型に屈曲して、容易に抜け出さぬようになっている。（２）はその各アンカー鉄筋（１）の垂立する上端部へ予じめ溶接一体化された一定長さの袋ナットであり、基礎コンクリート（Ｃ）の上面に開口露呈している。
【００１４】
（Ｂ）は上記土台（Ｘ）を基礎コンクリート（Ｃ）の上面に受け持たせるための別個なスペーサープレートであって、鋼板やその他の金属板から断面ほぼ倒立受皿型に曲げ加工されており、その基礎コンクリート（Ｃ）から浮上する水平な中間受け座（３）が、上記土台（Ｘ）の下面と接合する。
【００１５】
しかも、その中間受け座（３）から外向き水平に張り出す左右一対の接地脚座（４）が、上記アンカー鉄筋（１）に付属の袋ナット（２）へ上方から螺入締結される比較的短かい取付けボルト（５）によって、上記基礎コンクリート（Ｃ）の上面ヘ押え付け固定されるようになっている。
【００１６】
その際、図２と対応する図７の変形実施形態から明白なように、上記スペーサープレート（Ｂ）の中間受け座（３）と土台（Ｘ）との接合面や同じく両接地脚座（４）と基礎コンクリート（Ｃ）との接合面へ、ゴムやバネなどの振動吸収材（６）を介挿設置することにより、耐震効果を達成することが好ましい。
【００１７】
その振動吸収材（６）をゴムライニングとして、上記スペーサープレート（Ｂ）へ予じめ付属一体化させたり、或いは振動吸収材（６）となる皿バネを上記取付けボルト（５）や後述する引き寄せボルトの座金として、そのスペーサープレート（Ｂ）との接合面へ介挿使用したりすることも可能である。
【００１８】
何れにしても、上記土台（Ｘ）の下面と基礎コンクリート（Ｃ）の上面との相互間には、そのスペーサープレート（Ｂ）によって一定の換気スペース（Ｓ）が確保されることになる結果、土台（Ｘ）が基礎コンクリート（Ｃ）からの湿気を受けず、その耐用性の向上に役立つほか、その換気スペース（Ｓ）から支障なく挿入したスパナなどの回動操作工具により、後述の引き寄せボルトを確実に回動させることもできるのである。
【００１９】
（７）は上記スペーサープレート（Ｂ）における中間受け座（３）のほぼ中央部に開口形成された引き寄せボルト受け入れ孔、（８）は同じくスペーサープレート（Ｂ）の両接地脚座（４）に開口分布された前後一対づつ合計４個の取付けボルト受け入れ孔であるが、その全部又は一部を特に楕円形として開口形成することにより、上記袋ナット（２）に対する取付けボルト（５）の位置合わせ調整を行なえるように定めることが望ましい。
【００２０】
（９）は上記土台（Ｘ）を垂直に貫通する引き寄せボルト受け入れ貫通孔であって、上記スペーサープレート（Ｂ）側の引き寄せボルト受け入れ孔（７）と合致連通し、そのスペーサープレート（Ｂ）の下方から土台（Ｘ）の内部へ、比較的長い引き寄せボルト（１０）が差し込み垂立されるようになっている。（１０ａ）はその引き寄せボルト（１０）の径大な角型頭部であり、上記換気スペース（Ｓ）から挿入するスパナなどの回動操作工具によって、回動操作されることになる。
【００２１】
他方、上記柱（Ｙ）の下端部には下向き開口するほぞピン受け入れ凹溝（１１）が、一定深さ（Ｇ）の盲孔形態に仕口加工されており、上記土台（Ｘ）側の引き寄せボルト受け入れ貫通孔（９）と合致連通するようになっている。（Ｄ）はその合致連通する互いにほぼ同一の口径を示している。
【００２２】
（１２）は上記ほぞピン受け入れ凹溝（１１）を横断する複数の水平な固定ピン受け入れ貫通孔であり、その隣り合う相互の直交する指向状態として、やはり柱（Ｙ）の下端部に開口分布されている。
【００２３】
更に、（Ｐ）は上記柱（Ｙ）と土台（Ｘ）との軸組みに使用されるほぞピンであって、好ましくは鋼管やその他の金属パイプから上記ほぞピン受け入れ凹溝（１１）の深さ（Ｇ）よりも長い一定長さ（Ｌ）に作成されており、そのほぞピン受け入れ凹溝（１１）の口径（Ｄ）と対応する外径寸法の胴体部（１３）には、上記柱（Ｙ）側の固定ピン受け入れ貫通孔（１２）と合致し得る同じ複数の固定ピン受け入れ連通孔（１４）が開口分布されている。
【００２４】
（１５）はほぞピン（Ｐ）における土台（Ｘ）へのねじ込み基端部であり、上記引き寄せボルト（１０）のネジ軸部（１０ｂ）と同じ外径寸法として、そのほぞピン（Ｐ）の胴体部（１３）から滑らかに細く絞り加工されており、しかもその柱（Ｙ）の下面（木口面）から張り出し垂立することとなる長さ部分には雄ネジ（１６）が刻設されている。
【００２５】
（１７）はその雄ネジ（１６）との螺合締結状態のもとで、上記ほぞピン（Ｐ）のねじ込み基端部（１５）へ溶接一体化された一定長さの袋ナットであり、上記土台（Ｘ）の内部において引き寄せボルト（１０）と螺合締結できるようになっている。その袋ナット（１７）の外径寸法は上記胴体部（１３）のそれとほぼ同じであり、これの付属するほぞピン（Ｐ）と上記土台（Ｘ）側の引き寄せボルト（１０）とが、同じ垂直線（Ｏ−Ｏ）上において向かい合うことは言うまでもない。
【００２６】
上記構成の第１実施形態において、その柱（Ｙ）と土台（Ｘ）とを軸組み作業するに当っては、図２〜４から明白なように、上記スペーサープレート（Ｂ）の引き寄せボルト受け入れ孔（７）へ下方から引き寄せボルト（１０）を差し込み垂立させた組付け状態のもとで、そのスペーサープレート（Ｂ）の両接地脚座（４）を上方からアンカー鉄筋（１）側の袋ナット（２）へ螺入締結される複数の取付けボルト（５）により、基礎コンクリート（Ｃ）の上面へ押え付け固定する。
【００２７】
そうすれば、上記引き寄せボルト（１０）の頭部（１０ａ）がスペーサープレート（Ｂ）の中間受け座（３）と、基礎コンクリート（Ｃ）との上下相互間へ抜け止め状態に拘束されて、その引き寄せボルト（１０）の垂立姿勢に維持されることとなるため、次にその引き寄せボルト（１０）に向かって、上方から土台（Ｘ）の引き寄せボルト受け入れ貫通孔（９）を挿入状態に落し込むことにより、その土台（Ｘ）の下面を上記スペーサープレート（Ｂ）の中間受け座（３）に受け持たせる。
【００２８】
その後、ほぞピン（Ｐ）のねじ込み基端部（１５）に付属している袋ナット（１７）を、上記土台（Ｘ）の引き寄せボルト受け入れ貫通孔（９）へ上方から差し込み、その引き寄せボルト受け入れ貫通孔（９）の内部において上記引き寄せボルト（１０）のネジ軸部（１０ｂ）と螺合締結することにより、ほぞピン（Ｐ）を土台（Ｘ）へ植え込む。その際には、引き寄せボルト（１０）とほぞピン（Ｐ）との何れか一方を固定状態に保ち、残る他方を回動操作すれば良い。
【００２９】
そうすれば、上記ほぞピン（Ｐ）の胴体部（１３）が土台（Ｘ）の上面から一定高さだけ張り出し垂立することになるため、引続き柱（Ｙ）の下向き開口するほぞピン受け入れ凹溝（１１）を上記ほぞピン（Ｐ）に向かって、上方から挿入状態に落し込むことにより、その柱（Ｙ）の下面（木口面）を上記土台（Ｘ）の上面へ接合させるのである。
【００３０】
そして、柱（Ｙ）に開口分布している複数の水平な固定ピン受け入れ貫通孔（１２）から、これと自づと合致連通したほぞピン（Ｐ）側の固定ピン受け入れ連通孔（１４）へ、各々固定ピン（Ａ）を貫通横断状態に圧入一体化すれば良い。
【００３１】
上記作業法により得られた柱（Ｙ）と土台（Ｘ）との軸組み状態では、その柱（Ｙ）が固定ピン（Ａ）の圧入により、ほぞピン（Ｐ）を介して土台（Ｘ）からの抜け止め状態にあると雖も、上記柱（Ｙ）は自重力により土台（Ｘ）と接合しているにとどまり、未だ縛り上げ施錠状態に固定一体化されているわけではない。
【００３２】
そこで、本発明では最後に上記引き寄せボルト（１０）を回動操作して、そのネジ軸部（１０ｂ）とほぞピン（Ｐ）側の袋ナット（１７）とを完全に締め上げることにより、上記柱（Ｙ）をその土台（Ｘ）へ引き寄せ密着させて、全体的な縛り上げ施錠状態に固定一体化するのである。
【００３３】
このような回動操作は上記換気スペース（Ｓ）から挿入したスパナなどの回動操作工具を、その引き寄せボルト（１０）の頭部（１０ａ）へ係止させることによって、土台（Ｘ）の外部から支障なく実行することができる。
【００３４】
先に一言した柱（Ｙ）の固定ピン（Ａ）としては、図８〜１５に示す形態の金属製品を採用することが好ましい。
【００３５】
即ち、その図８〜１５において、（１８）は上記柱（Ｙ）にプレ加工として開口形成された固定ピン受け入れ貫通孔（１２）やほぞピン（Ｐ）に開口形成された固定ピン受け入れ連通孔（１４）の口径とほぼ等しい直径寸法（ｄ１）を有する円筒型のピン本体であり、その先端部（１８ａ）が先細りのほぼ円錐型に面取り加工されている。
【００３６】
又、同じくピン本体（１８）の頭部（１８ｂ）は塑性変形による正面視のほぼ楕円形として、その楕円形の長軸が上記固定ピン受け入れ貫通孔（１２）や固定ピン受け入れ連通孔（１４）の口径よりも径大化されている一方、同じく短軸がこれらの口径よりも径小化されている。
【００３７】
（１９）は上記塑性加工の結果として、そのピン本体（１８）の頭部（１８ｂ）に開口するほぼ楕円形の工具係止孔であり、ここへ図１６のように回動操作工具（Ｔ）を直接に、又は適当なビットやその他の嵌合アダプター（２０）を介して抜き差し自在に差し込み係止させ、その回動操作工具（Ｔ）により上記ピン本体（１８）を回動操作できるようになっている。
【００３８】
（２１）は上記楕円形をなす頭部（１８ｂ）の外周面全体へ、望ましくは転造加工により刻成された雄ネジであって、その長軸上でのネジ山径（ｄ２）が上記固定ピン受け入れ貫通孔（１２）や固定ピン受け入れ連通孔（１４）の口径よりも径大寸法に隆起しており、同じく短軸上でのネジ山径（ｄ３）はこれらの口径よりも径小寸法に陥没している。
【００３９】
但し、上記雄ネジ（２１）を頭部（１８ｂ）の外周面全体へ刻成することに代えて、図１７〜１９の変形実施形態から示唆される如く、その頭部（１８ｂ）の楕円形をなす長軸上での向かい合う円弧面のみに、雄ネジ（２１）を刻設してもさしつかえない。
【００４０】
何れにしても、上記ピン本体（１８）を回動操作工具（Ｔ）により、その頭部（１８ｂ）の雄ネジ（２１）が螺進する方向へ回動操作すれば、その雄ネジ（２１）が上記柱（Ｙ）に開口する固定ピン受け入れ貫通孔（１２）の内壁面へ確実に安定良く喰い付くこととなり、木造建築中の振動や衝撃などを受けるも、不慮に抜け出すおそれがない。
【００４１】
尚、ピン本体（１８）を逆方向へ回動操作して、その頭部（１８ｂ）の雄ネジ（２１）を螺退させることにより、上記柱（Ｙ）の固定ピン受け入れ貫通孔（１２）やほぞピン（Ｐ）の固定ピン受け入れ連通孔（１４）から人為的に抜き出すこともできるため、木造建築物（住宅）の間取り変更やその他のリフォームなどに便利である。
【００４２】
図１〜６の第１実施形態に示したほぞピン（Ｐ）では、その胴体部（１３）から細く絞り加工したねじ込み基端部（１５）へ、引き寄せボルト（１０）と螺合締結される袋ナット（１７）を直かに溶接一体化しているが、最終的な引き寄せボルト（１０）の回動操作により、その袋ナット（１７）を介してほぞピン（Ｐ）と完全に締め上げることができ、上記柱（Ｙ）を土台（Ｘ）へ強力に引き寄せ密着一体化させ得る限り、図２０の変形実施形態に示す如く、ほぞピン（Ｐ）の一定長さ（Ｌ）を、上記柱（Ｙ）に開口するほぞピン受け入れ凹溝（１１）の深さ（Ｇ）とほぼ等しく寸法化すると共に、その柱（Ｙ）の下面（木口面）に臨む基端部のみを細く絞り加工して、その細い基端部へ別個なアダプターボルト（２２）を、そのネジ軸部（２２ｂ）が柱（Ｙ）の下面（木口面）から張り出し垂立することとなる差し込み補強状態に溶接一体化することにより、上記ねじ込み基端部（１５）として機能し得るように形作った上、そのアダプターボルト（２２）のネジ軸部（２２ｂ）へ別個な上記袋ナット（１７）を螺合締結させても良い。（２２ａ）は上記ほぞピン（Ｐ）における胴体部（１３）とその細い基端部との境界位置に係止したアダプターボルト（２２）の径大な頭部である。
【００４３】
又、そのアダプターボルト（２２）の設置を省略すると共に、上記第１実施形態のようなねじ込み基端部（１５）に対する袋ナット（１７）の溶接も省略して、図２１の別な変形実施形態に示す如く、ほぞピン（Ｐ）におけるねじ込み基端部（１５）の雄ネジ（１６）へ別個な袋ナット（１７）を、ただ単に螺合締結させるにとどめてもさしつかえない。更に、その袋ナット（１７）を予じめ上記引き寄せボルト（１０）のネジ軸部（１０ｂ）へ溶接一体化しておくことも考えられる。
【００４４】
何れにしても、上記袋ナット（１７）と引き寄せボルト（１０）のネジ軸部（１０ｂ）とは、土台（Ｘ）に開口する引き寄せボルト受け入れ貫通孔（９）の内部において螺合締結されることとなる。
【００４５】
図１〜６に示した上記第１実施形態では、土台（Ｘ）の中途部へ柱（Ｙ）を軸組みしているが、その土台（Ｘ）の角隅部へ柱（Ｙ）を図２２〜２５の第２実施形態に示すような側面視の交叉するＬ字型として軸組みする場合には、その角隅部と対応する平面視のほぼＬ字型をなすベースプレート（Ｂ）が使用されることになる。
【００４６】
尚、第２実施形態におけるその他の構成と軸組み作業法は、上記第１実施形態と実質的に同一であるため、その図２２〜２５に図１〜６との対応符号を記入するにとどめて、その詳細な説明を省略する。
【００４７】
【発明の効果】
以上のように、本発明に係る木造建築の軸組構造ではほぞピン受け入れ凹溝（１１）が仕口加工された柱（Ｙ）と、その柱（Ｙ）のほぞピン受け入れ凹溝（１１）と合致連通し得る引き寄せボルト受け入れ貫通孔（９）が開口形成された土台（Ｘ）と、その土台（Ｘ）と柱（Ｙ）とを軸組みするため、上記柱（Ｙ）のほぞピン受け入れ凹溝（１１）へ差し込み垂立されるほぞピン（Ｐ）とを備え、
【００４８】
上記土台（Ｘ）の基礎コンクリート（Ｃ）に埋設されたアンカー鉄筋（１）の上端部へ、袋ナット（２）を溶接一体化すると共に、
【００４９】
上記土台（Ｘ）を、別個な断面ほぼ倒立受皿型のスペーサープレート（Ｂ）が基礎コンクリート（Ｃ）から浮上する中間受け座（３）に受け持たせる一方、
【００５０】
そのスペーサープレート（Ｂ）の中間受け座（３）から外向きに張り出す一対の接地脚座（４）を、上記アンカー鉄筋（１）に付属の袋ナット（２）へ上方から螺入締結される取付けボルト（５）により基礎コンクリート（Ｃ）へ押え付け固定して、上記土台（Ｘ）とその基礎コンクリート（Ｃ）との上下相互間に一定の換気スペース（Ｓ）を確保し、
【００５１】
上記スペーサープレート（Ｂ）の中間受け座（３）に開口形成された引き寄せボルト受け入れ孔（７）から、これと合致連通する上記土台（Ｘ）の引き寄せボルト受け入れ貫通孔（９）へ差し込み垂立させた引き寄せボルト（１０）のネジ軸部（１０ｂ）と、上記ほぞピン（Ｐ）における柱（Ｙ）の木口面から張り出すねじ込み基端部（１５）とを、上記引き寄せボルト受け入れ貫通孔（９）内での袋ナット（１７）を介して螺合締結した上、
【００５２】
その引き寄せボルト（１０）の径大な角型頭部（１０ａ）を上記換気スペース（Ｓ）から挿入する回動操作工具により回動操作して、そのネジ軸部（１０ｂ）と上記袋ナット（１７）とを締め上げることにより、上記柱（Ｙ）を土台（Ｘ）への引き寄せ密着状態に固定一体化させるようになっているため、冒頭に述べた従来技術の課題を完全に改良することができ、上記柱（Ｙ）とその土台（Ｘ）とを木造３階建てにも耐える強固な縛り上げ施錠状態として、安定良く軸組み一体化し得る効果がある。
【００５３】
特に、土台（Ｘ）とその基礎コンクリート（Ｃ）との上下相互間に確保された一定の換気スペース（Ｓ）によって、床下換気効果を期待できるほか、その換気スペース（Ｓ）から挿入した回動操作工具を引き寄せボルト（１０）の頭部（１０ａ）へ係止させて、その引き寄せボルト（１０）を土台（Ｘ）の外部から支障なく確実に回動操作し得るのであり、現場作業性にも優れる。
【００５４】
しかも、上記土台（Ｘ）を受け持つスペーサープレート（Ｂ）が、基礎コンクリート（Ｃ）の埋設アンカー鉄筋（１）に溶接一体化された袋ナット（２）へ、取付けボルト（５）により押え付け固定されるようになっているため、その土台（Ｘ）を基礎コンクリート（Ｃ）に対しても高強度に固定維持することができ、その意味からも木造３階建てに有効な軸組構造となる。
【００５５】
請求項２の構成を採用するならば、ゴムやバネなどの振動吸収材（６）により、木造建築物の耐震効果を得ることができる。
【００５６】
又、請求項３の構成を採用するならば、引き寄せボルト（１０）と螺合締結される袋ナット（１７）が、予じめほぞピン（Ｐ）のねじ込み基端部（１５）へ溶接一体化されているため、建築現場での取扱いに便利であるばかりでなく、引き寄せボルト（１０）との螺合締結作用を円滑に安定良く営なませることもできる効果がある。
【００５７】
更に、請求項４の構成を採用するならば、ほぞピン（Ｐ）が金属パイプから作成されているとしても、その細い基端部をここへ差し込み状態に溶接一体化されたアダプターボルト（２２）により、剛性に補強することができるため、やはり引き寄せボルト（１０）との円滑・安定な螺合締結作用を得られる効果がある。
【図面の簡単な説明】
【図１】本発明に係る軸組構造の第１実施形態を示す斜面図である。
【図２】図１の縦断面図である。
【図３】図２の３−３線に沿う拡大断面図である。
【図４】図２の４−４線に沿う拡大断面図である。
【図５】スペーサープレートを抽出して示す平面図である。
【図６】ほぞピンと引き寄せボルトとの分解斜面図である。
【図７】図２に対応する変形実施形態を示す縦断面図である。
【図８】固定ピンを抽出して示す斜面図である。
【図９】図８の正面図である。
【図１０】図９の平面図である。
【図１１】図９の右側面図である。
【図１２】図９の左側面図である。
【図１３】図１０の１３−１３線断面図である。
【図１４】図９の１４−１４線に沿う拡大断面図である。
【図１５】図９の１５−１５線に沿う拡大断面図である。
【図１６】回動操作工具とその嵌合アダプターを示す斜面図である。
【図１７】固定ピンの変形実施形態を示す図８に対応する斜面図である。
【図１８】図１７の正面図である。
【図１９】図１８の平面図である。
【図２０】図２に対応する変形実施形態を示す縦断面図である。
【図２１】図２に対応する別な変形実施形態を示す縦断面図である。
【図２２】本発明の第２実施形態を示す斜面図である。
【図２３】図２２の縦断面図である。
【図２４】図２２の２４−２４線に沿う拡大断面図である。
【図２５】図２２の２５−２５線に沿う拡大断面図である。
【符号の説明】
（１）・アンカー鉄筋
（２）・袋ナット
（３）・中間受け座
（４）・接地脚座
（７）・引き寄せボルト受け入れ孔
（９）・引き寄せボルト受け入れ貫通孔
（１０）・引き寄せボルト
（１０ａ）・角型頭部
（１０ｂ）・ネジ軸部
（１１）・ほぞピン受け入れ凹溝
（１３）・胴体部
（１５）・ねじ込み基端部
（１７）・袋ナット
（２２）・アダプターボルト
（２２ｂ）・ネジ軸部
（Ａ）・固定ピン
（Ｂ）・スペーサープレート
（Ｃ）・基礎コンクリート
（Ｐ）・ほぞピン
（Ｓ）・換気スペース
（Ｘ）・土台
（Ｙ）・柱
（Ｇ）・ほぞピン受け入れ凹溝の深さ
（Ｌ）・ほぞピンの長さ
【図１】
0003541941.tif 000002
【図２】
0003541941.tif 000003
【図３】
0003541941.tif 000004
【図４】
0003541941.tif 000005
【図５】
0003541941.tif 000006
【図６】
0003541941.tif 000007
【図７】
0003541941.tif 000008
【図８】
0003541941.tif 000009
【図９】
0003541941.tif 000010
【図１０】
0003541941.tif 000011
【図１１】
0003541941.tif 000012
【図１２】
0003541941.tif 000013
【図１３】
0003541941.tif 000014
【図１４】
0003541941.tif 000015
【図１５】
0003541941.tif 000016
【図１６】
0003541941.tif 000017
【図１７】
0003541941.tif 000018
【図１８】
0003541941.tif 000019
【図１９】
0003541941.tif 000020
【図２０】
0003541941.tif 000021
【図２１】
0003541941.tif 000022
【図２２】
0003541941.tif 000023
【図２３】
0003541941.tif 000024
【図２４】
0003541941.tif 000025
【図２５】
0003541941.tif 000026